(57)【要約】  本発明は、貫通孔または開口を備えた金属製の少なくとも２つの構成要素から成る複合体を製造する、特に少なくとも１つの複合体から成る冷却体または冷却エレメントまたはヒートシンクを製造する方法であって、構成要素を、構成要素の表面側によって形成される接合面に設けられた接合手段を用いて、プロセス温度に加熱することによって、相互に結合して、複合体を形成する方法に関する。複雑な幾何学形状を有する複合体でも簡単に製造して、これによって冷却能力を高めるために、本発明によれば、少なくとも第１の構成要素を、非プレート状に形成し、該第１の構成要素を、プレート状または非プレート状の少なくとも１つの別の第２の構成要素と結合し、複合体を形成する。【特許請求の範囲】
【請求項１】
貫通孔または開口を備えた金属製の少なくとも２つの構成要素から成る複合体を製造する、特に少なくとも１つの複合体から成る冷却体または冷却エレメントまたはヒートシンクを製造する方法であって、
構成要素を、構成要素の表面側によって形成される接合面に設けられた接合手段を用いて、プロセス温度に加熱することによって、相互に結合して、複合体を形成する方法において、
少なくとも第１の構成要素を、非プレート状に形成し、該第１の構成要素を、プレート状または非プレート状の少なくとも１つの別の第２の構成要素と結合し、複合体を形成することを特徴とする、貫通孔または開口を備えた金属製の少なくとも２つの構成要素から成る複合体を製造する方法。
【請求項２】
同じまたは異なる複数の接合手段を、構成要素の表面側によって形成される接合面に取り付ける、請求項１記載の方法。
【請求項３】
幾何学形状および／または材料に関して同じまたは異なる、接合しようとする少なくとも２つの構成要素を取り付ける、請求項１または２記載の方法。
【請求項４】
構成要素の少なくとも１面に、別の少なくとも１つの構成要素を、全面または面の一部にわたって結合する、請求項１から３までのいずれか１項記載の方法。
【請求項５】
少なくとも３つの構成要素を結合して、複合体を形成する、請求項１から４までのいずれか１項記載の方法。
【請求項６】
接合プロセス前に、同じまたは異なる少なくとも１つまたは複数の接合手段を、貫通孔または開口の内面に取り付ける、請求項１から５までのいずれか１項記載の方法。
【請求項７】
少なくとも２つの構成要素を、同時に、単数または複数の方法ステップで、相互に結合する、請求項１から６までのいずれか１項記載の方法。
【請求項８】
構成要素を、同じまたは異なる方法温度で、相互に結合する、請求項７記載の方法。
【請求項９】
銅または銅合金から成る構成要素では、接合手段として、ＣｕＯおよび／またはＣｕ2Ｏを使用し、接合を、１０６５度〜１０８２度の範囲のプロセス温度で行う、請求項１から８までのいずれか１項記載の方法。
【請求項１０】
接合手段として、たとえば１〜２０質量パーセントの範囲のリン成分を含有するＮｉ−Ｐから成る合金を使用し、接合を、８５０度〜１０８２度の範囲のプロセス温度で行う、請求項１から８までのいずれか１項記載の方法。
【請求項１１】
接合手段として、銀または銀合金を使用し、接合を、７８０度〜１０８０度の範囲のプロセス温度で行う、請求項１から８までのいずれか１項記載の方法。
【請求項１２】
接合手段として、スズまたはスズ合金を使用し、接合を、１７０度〜２８０度の範囲のプロセス温度で行う、請求項１から８までのいずれか１項記載の方法。
【請求項１３】
接合手段として、ガラスまたはガラスと金属との混合物を使用し、接合を、１２０度〜１１００度のプロセス温度で行う、請求項１から８までのいずれか１項記載の方法。
【請求項１４】
接合前に、全ての構成要素の、少なくとも接合面ならびに存在する全ての貫通孔または開口に、接合手段を設ける、請求項１から１３までのいずれか１項記載の方法。
【請求項１５】
接合前に、一部の構成要素の、少なくとも接合面ならびに貫通孔または開口に、接合手段を設ける、請求項１から１３までのいずれか１項記載の方法。
【請求項１６】
隣接する構成要素のうち、１つに接合手段を設け、場合によっては該構成要素に存在する開口または貫通孔の位置する領域にも設ける、請求項１から１５までのいずれか１項記載の方法。
【請求項１７】
少なくとも２つの構成要素の接合によって、分離した、または結合された、または開いた、または部分的に閉じた、または閉じた溝構造を形成する、請求項１から１６までのいずれか１項記載の方法。
【請求項１８】
溝構造を通って、加熱媒体または冷却媒体がガイドされるようになっており、該加熱媒体または冷却媒体は、空気、窒素、水または油である、請求項１７記載の方法。
【請求項１９】
少なくとも２つの構成要素の接合によって、取付表面を形成し、該取付表面によって、複合体を、上位システムと結合できるようにする、請求項１から１８までのいずれか１項記載の方法。
【請求項２０】
個々の構成要素および／または複合体を、導電路および／または熱伝達路と、全面または部分面にわたって結合する、請求項１から１９までのいずれか１項記載の方法。
【請求項２１】
個々の構成要素および／または複合体を、能動的または受動的な電気素子または電子素子と結合する、請求項１から２０までのいずれか１項記載の方法。
【請求項２２】
金属製の構成要素を、接合プロセス前に、支持体と結合し、支持体は、非電導性またはほぼ非電導性であり、かつ一体的に放熱性または熱伝達性の冷却エレメントを備えており、支持体および／または冷却エレメントは、少なくとも１つのセラミックス成分または異なる複数のセラミックの複合体から成る、請求項１から２１までのいずれか１項記載の方法。
【請求項２３】
複合体が、セラミックヒートシンクである、請求項２２記載の方法で製造される複合体。
【発明の詳細な説明】
【技術分野】
【０００１】
本発明は、請求項１の上位概念に記載の方法およびこの方法で製造された複合体に関する。
【０００２】
電気素子またはモジュール（特に高い出力を有するもの）を特に冷却するために、マイクロクーラとも呼ばれる冷却器が既に公知であり、冷却器は、相互に結合されてスタックを形成する、金属から成るプレート（金属箔）から成っていて、プレートのうちの、スタックの内側に位置するものは、プレートスタックもしくは冷却器の内側に冷媒用の冷却溝または流路を形成するように、たとえば開口または貫通孔を備えて構成される。プレートを面結合するために、プレートの接合面に、つまり表面側に、接合手段が設けられている。接合もしくは結合するために、プレートは、上下に重ねられてプレートスタックが形成され、次いで適切なプロセス温度に加熱され、この場合、接合手段を用いて、接合面に、融解した金属領域（結合層または溶融層）が形成されるので、冷却後に、プレートは相互に結合され、プレートスタックが形成される。
【０００３】
ドイツ連邦共和国特許公開第１０２００４００２８４１号明細書において、冒頭で述べたような冷却器を製造する方法が公知であり、ここでは接合前に、接合剤が貫通孔または開口の内面にも取り付けられる。
【０００４】
本発明の課題は、請求項１の上位概念に記載の方法を改良して、複雑な幾何学形状を有する複合体も簡単に製造できるものを提供することであり、またこれによって複合体の冷却作用が高められる。
【０００５】
この課題を解決するために本発明の構成では、少なくとも第１の構成要素を、非プレート状に形成し、第１の構成要素を、プレート状または非プレート状の少なくとも１つの別の第２の構成要素と結合し、複合体を形成する。非プレート状の構成要素を用いて、任意の幾何学形状の複合体を簡単に製造することができるので、複合体の冷却能力または冷却面は、完全にプレート状の構成要素と比べて相応に高められている。
【０００６】
有利には、同一または異なる複数の接合手段を、構成要素の表面側によって形成された接合面に取り付ける。これによって接合手段の適切な選択によって、結合を、その都度の使用目的に応じて所望に調節することができる。
【０００７】
有利には、接合しようとする少なくとも２つの構成要素を、幾何学形状および／または材料に関して同じまたは異なって形成する。幾何学形状および／または材料に関して同じ構成の利点によれば、たとえば構成要素に及ぼされる温度の急な変化の間、両構成要素の膨張係数が同じである場合に、構造の緊締が回避される。幾何学形状および／または材料に関して異なる構成の利点によれば、たとえば構造に起因する特定のアプリケーションに関して、比較的高い低い熱伝導率および／または安定性および／または耐食性を有する部分領域と、比較的低い熱伝導率および／または安定性および／または耐食性を有する部分領域とが必要である。
【０００８】
構成要素の少なくとも１面に、有利には少なくとも１つの別の構成要素を、全面および／または部分面にわたって結合する。これによって任意の複合体もしくは構造を実現することができる。
【０００９】
有利には、少なくとも３つの構成要素を結合して、複合体を形成する。
【００１０】
１形態では、接合プロセス前に、少なくとも１つまたは複数の同じまたは異なる接合手段を、貫通孔または開口の内面に取り付ける。同じ接合手段の利点によれば、接合プロセスを簡単に実施することができる。異なる接合手段によって、結合品質を個別に調節することができる。結合しようとする構成要素に対して接合手段を適合することによって、異なる材料を有する複合体を製造することができる。
【００１１】
有利には、少なくとも２つの構成要素を、同時に１方法ステップまたは複数の方法ステップで相互に結合する。１方法ステップによる結合の利点によれば、たとえば複雑な構造を安価に製造することができる。複数の方法ステップの利点によれば、異なる使用条件を有する異なる接合手段を相前後して用いることができる。
【００１２】
有利な形態では、構成要素を、同じまたは異なる方法温度で相互に結合する。方法温度は、結合しようとする箇所における構成要素の材料に応じて調整される。
【００１３】
銅または銅合金から成る構成要素では、有利には、接合手段として、ＣｕＯおよび／またはＣｕ2Ｏを使用し、接合を、１０６５度〜１０８２度の範囲のプロセス温度で行う。
【００１４】
有利には、接合手段として、たとえば１〜２０質量パーセントの範囲のリン成分を含有するＮｉ−Ｐ（ニッケルおよびリン）から成る合金を使用し、接合を、８５０度〜１０８２度の範囲のプロセス温度で行う。
【００１５】
別の形態では、接合手段として、銀または銀合金を使用し、接合を、７８０度〜１０８０度の範囲のプロセス温度で行う。
【００１６】
別の形態では、接合手段として、スズまたはスズ合金を使用し、接合を、１７０度〜２８０度の範囲のプロセス温度で行う。
【００１７】
別の形態では、接合手段として、ガラスまたはガラスと金属との混合物を使用し、接合を、１２０度〜１１００度の範囲のプロセス温度で行う。ガラスは、構成要素と、取り付けようとするメタライジングとの間の付着補助剤の機能を有する。ガラス成分は、所望の電流負荷能力を下回らないように、選択される。
【００１８】
結合後に、２つの構成要素の間の移行部および開口の領域において、特に冷却時における結合層または溶融層の再形成によって、かつ／または接合中の融解状態の金属による十分でないぬらしによって、結合層にデッドスペースが形成されないようにするために、有利には、接合前に、全ての構成要素の、少なくとも接合面ならびに存在する全ての貫通孔または開口に、接合手段を設ける。
【００１９】
１形態によれば、接合前に、一部の構成要素の、少なくとも接合面ならびに貫通孔または開口に、接合手段を設ける。接合手段で負荷を掛けられていない構成要素に、固有材料の表面があらゆる場合に維持される。
【００２０】
１形態では、隣接する構成要素のうち、１つに接合手段を設け、場合によっては構成要素に存在する開口または貫通孔の位置する領域にも設ける。
【００２１】
有利には、少なくとも２つの構成要素の接合によって、分離した、または結合された、または開いた、または部分的に閉じた、または閉じた溝構造を形成する。これによって構成要素または複合体の冷却が容易になる。
【００２２】
有利には、溝構造を通って加熱媒体または冷却媒体がガイドされるように、溝構造を形成し、加熱媒体または冷却媒体は、たとえば空気、窒素、水または油である。
【００２３】
１形態によれば、少なくとも２つの構成要素の接合によって、取付表面を形成し、取付表面によって、複合体は、上位システムと結合することができる。結合は、たとえばクランプ止め、リベット止め、ねじ止めまたはろう接であってよい。上位システムは、たとえばハウジングであってよい。
【００２４】
有利には、個々の構成要素および／または複合体を、電導路および／または熱伝達路と全面または部分面にわたって結合する。
【００２５】
有利には、個々の構成要素および／または複合体を、能動的または受動的な電気素子または電子素子と結合する。
【００２６】
有利には、金属製の構成要素を、接合プロセス前に、支持体と結合し、この場合支持体は、非電導性またはほぼ非電導性であり、かつ一体的に放熱性または熱伝達性の冷却エレメントを備えており、支持体および／または冷却エレメントは、少なくとも１つのセラミック成分または異なる複数のセラミックの複合体から成る。
【００２７】
冷却素子を備えた一体的な支持体は、たとえばドイツ連邦共和国特許出願公開第１０２００７０１４４３３号明細書に記載されている。
【００２８】
本発明による方法に従って製造される複合体は、有利には、セラミックヒートシンクである。
【００２９】
ヒートシンクとは、電気素子または電子素子または回路用の支持体と解され、ここでは支持体は、非電導性またはほぼ非電導性であり、支持体は、一体的に放熱または熱伝達性の冷却エレメントを備えている。有利には、支持体は、基板であり、冷却エレメントは、孔、溝、リブおよび／または凹所であり、これらは加熱媒体または冷却媒体で負荷を掛けることができる。支持体および／または冷却エレメントは、たとえば少なくとも１つのセラミック成分または異なる複数のセラミックの複合体から成る。
【国際調査報告】
2010524698.tif 000002
2010524698.tif 000003
2010524698.tif 000004
2010524698.tif 000005
2010524698.tif 000006
2010524698.tif 000007
2010524698.tif 000008
2010524698.tif 000009
2010524698.tif 000010
2010524698.tif 000011